(57)【要約】【課題】  複写禁止頁と禁止されない頁が混在する原稿を複写する場合、複写禁止頁を白紙化して片面又は両面出力しても複写用紙の無駄を回避できるようにする。【解決手段】  画像読込手段９は原稿を読み込んで画像データを生成する。記憶手段１３は生成画像データを記憶する。パターン情報検知手段１５は記憶された画像データ中に複写禁止頁を示すパターン情報が存在するか否かを検知する。印刷制御手段１９は、それら画像データを印刷制御するとともに、片面印刷時にその白紙画像データが得られたとき当該白紙画像データに係る印刷を制御せず、両面印刷時に片面側のみその白紙画像データが得られたとき当該白紙画像データの印刷を制御する。印刷手段２１は印刷制御手段１９に基づき、それら画像データを印刷する。【選択図】  図１
2008061019.tif 000002
【特許請求の範囲】
【請求項１】
原稿を読み込んで画像データを生成する画像読込手段と、
生成された前記画像データを記憶する記憶手段と、
記憶された前記画像データ中に複写禁止頁を示すパターン情報が存在するか否かを検知するパターン情報検知手段と、
前記パターン情報の存在が検知されたとき、前記複写禁止頁の前記画像データを白紙画像データに変換する画像データ変換手段と、
前記画像データの印刷を制御するとともに、片面印刷において前記白紙画像データが得られたとき当該白紙画像データに係る印刷を制御せず、両面印刷において片面側のみ前記白紙画像データが得られたとき当該白紙画像データの印刷を制御する印刷制御手段と、
を具備することを特徴とする画像処理装置。
【請求項２】
前記印刷制御手段の制御によって前記画像データを片面印刷する印刷手段を有する請求項１記載の画像処理装置。
【請求項３】
前記印刷制御手段の制御によって前記画像データを両面印刷する印刷手段を有する請求項１記載の画像処理装置。
【請求項４】
前記原稿の原稿面を連続的に前記画像読込手段に送る原稿送り手段を有する請求項１〜３いずれか１記載の画像処理装置。
【請求項５】
前記原稿送り手段は前記原稿の両面を連続的に前記画像読込手段に送るものである請求項４記載の画像処理装置。
【請求項６】
原稿を読み込んで生成した画像データを記憶し、この記憶された前記画像データから複写禁止頁を示すパターン情報の有無を検知するとともに前記画像データを印刷する機能を実行する画像処理用コンピュータに、
前記原稿を読み込んで前記画像データを生成する画像読込処理と、
生成された前記画像データを記憶する記憶処理と、
記憶された前記画像データ中に前記パターン情報が存在するか否かを検知するパターン情報検知処理と、
前記パターン情報の存在が検知されたとき、前記複写禁止頁の前記画像データを白紙画像データに変換する画像データ変換処理と、
前記画像データの印刷を制御するとともに、片面印刷時に前記白紙画像データが得られたとき当該白紙画像データに係る印刷を制御せず、両面印刷時に片面側のみ前記白紙画像データが得られたとき当該白紙画像データの印刷を制御する印刷制御処理と
を実行させることを特徴とする画像処理プログラム。
【請求項７】
前記印刷制御処理によって前記画像データの片面印刷処理を実行する請求項６記載の画像処理プログラム。
【請求項８】
前記印刷制御処理によって前記画像データの両面印刷処理を実行する請求項６記載の画像処理プログラム。
【請求項９】
前記原稿の原稿面を連続的に画像読込手段に送る原稿送り処理を実行する請求項５〜８いずれか１記載の画像処理プログラム。
【請求項１０】
前記原稿送り処理は、前記原稿の両面を連続的に前記画像読込手段に送る請求項９記載の画像処理プログラム。
【請求項１１】
前記請求項６〜１０いずれか１記載の画像処理プログラムを記憶することを特徴とする記憶媒体。
【発明の詳細な説明】
【技術分野】
【０００１】
本発明は画像処理装置、画像処理プログラムおよび記憶媒体に係り、複写抑止機能を搭載した複写機、ファクシミリ機およびこれらの複合機（ＭＦＰ：Multi Function Peripheral）に用いて好適する画像処理装置、画像処理プログラムおよび記憶媒体の改良に関する。
【背景技術】
【０００２】
近年、市場における文書セキュリティ向上の要求に応えるため、複写（コピー）を禁止する文書であることを示すパターン情報を予め原稿に埋め込んでおき、そのパターン情報が検出された場合、何らかの手段で複写を抑止する機能を搭載した複写機等が製品化されている。
【０００３】
すなわち、図５Ａに示すように、用紙１に対し、細かいドットからなる背景領域３ａと、この背景領域３ａ中に例えば「複写禁止」といったメッセージ情報３ｂ（同図Ａでは見えない。）が埋め込まれてなり複写を禁止する趣旨のパターン情報５を印刷するとともに、当該用紙１に目的の文書内容を印刷して例えば「契約書」を作成する。
【０００４】
この印刷済み用紙１を複写機で複写すると、図５Ｂに示すように、複写物１ａには背景領域３ａ中に埋め込んだ「複写禁止」といったメッセージ情報３ｂが黒く浮かび上がったり、同図Ｃに示すように、複写物１ｂの背景領域３ａが浮かび上がってメッセージ情報３ｂが白抜き状態になり、複写操作者に対してその印刷済み用紙１が複写禁止されているものである旨を間接的に告知し、複写を抑制している。
【０００５】
複写物１ａにおいて、背景領域３ａ中に埋め込んだメッセージ情報３ｂが、図５Ｂのように「複写禁止」として黒く浮かび上がる理由は、背景領域３ａを図６Ａのような小さなドットｄ１にする一方、「複写禁止」といったメッセージ情報３ｂを同図Ｂのようにドットｄ１より大きなドットｄ２で埋め込むことにより、小さなドットｄ１が大きなドットｄ２より複写再現され難いことによる。
【０００６】
複写物１ｂにおいて、背景領域３ａが図５Ｃのように黒く浮かび上がる場合は、逆に、図６Ｂのような大きなドットｄ２で背景領域３ａを形成し、メッセージ情報３ｂを同図Ａのような小さなドットｄ１にすることによって得られる。
【０００７】
そして、従来、パターン情報５が形成された印刷済み用紙１を複写機で複写した場合、当該複写禁止頁の画像データを印刷出力させないことによって文書セキュリティを確保する構成、例えば特開２００５−１４２９１８号公報（特許文献１）が提案されている。
【０００８】
この構成は、画像読込手段で原稿画像を読み取った画像データから、ドットパターン検出手段によってその画像データに含まれる背景画像又は画像に埋め込まれたドットパターンを検出し、この検出したドットパターンと予め設定されたドットパターンとをドットパターン判定手段によって比較し、互いの同一性が判定された場合、当該装置が具備する複写機能等の画像データ再現機能を規制する構成を有し、機密文書を例えば白紙化頁にして機密文書の不正流出を防止するものである。
【特許文献１】特開２００５−１４２９１８号公報
【発明の開示】
【発明が解決しようとする課題】
【０００９】
しかしながら、上述した特許文献１では、複写禁止頁と禁止されない頁が混在する原稿を複写すると、片面複写出力の場合には複写禁止頁の複写出力が白紙化され、両面複写出力の場合には、両面双方が複写禁止頁であると両面が白紙化出力され、結局、１枚の複写用紙をまるまる無駄に消費してしまうという課題があった。
【００１０】
特に、複写禁止頁原稿が混在する原稿を自動の両面原稿送り手段等にセットして複写した場合に、複写用紙の無駄が顕著になり、改善が望まれていた。
【００１１】
本発明はそのような課題を解決するためになされたもので、複写禁止頁と禁止されない頁が混在する原稿について、複写禁止頁を白紙化出力しても複写用紙の無駄を回避可能な画像処理装置、画像処理プログラムおよび記憶媒体の提供を目的とする。
【課題を解決するための手段】
【００１２】
そのような課題を解決するために本発明に係る画像処理装置は、原稿を読み込んで画像データを生成する画像読込手段と、生成されたその画像データを記憶する記憶手段と、記憶されたその画像データ中に複写禁止頁を示すパターン情報が存在するか否かを検知するパターン情報検知手段と、そのパターン情報の存在が検知されたとき、複写禁止頁の画像データを白紙画像データに変換する画像データ変換手段と、それら画像データの印刷を制御するとともに、片面印刷時においてその白紙画像データが得られたとき当該白紙画像データに係る印刷を制御せず、両面印刷において片面側のみその白紙画像データが得られたとき当該白紙画像データの印刷を制御する印刷制御手段とを具備している。
【００１３】
本発明の画像処理装置では、上記印刷制御手段の制御によってそれら画像データを片面印刷する印刷手段を有する構成も可能である。
【００１４】
本発明の画像処理装置では、上記印刷制御手段の制御によってそれら画像データを両面印刷する印刷手段を有する構成も可能である。
【００１５】
本発明の画像処理装置では、その原稿の原稿面を連続的に上記画像読込手段に送る原稿送り手段を有する構成も可能である。
【００１６】
本発明の画像処理装置では、その原稿送り手段が、その原稿の両面を連続的にその画像読込手段に送るものである構成も可能である。
【００１７】
本発明の画像処理プログラムは、原稿を読み込んで生成した画像データを記憶し、この記憶された画像データから複写禁止頁を示すパターン情報の有無を検知する機能を実行制御する画像処理用コンピュータに、その原稿を読み込んで上記画像データを生成する画像読込処理と、生成されたその画像データを記憶する記憶処理と、記憶されたその画像データ中にそのパターン情報が存在するか否かを検知するパターン情報検知処理と、そのパターン情報の存在が検知されたとき、その複写禁止頁の画像データを白紙画像データに変換する画像データ変換処理と、それら画像データの印刷を制御するとともに、片面印刷においてその白紙画像データが得られたとき当該白紙画像データに係る印刷の制御をせず、両面印刷において片面側のみその白紙画像データが得られたとき当該白紙画像データの印刷を制御する印刷制御処理とを実行させるものである。
【００１８】
本発明の画像処理プログラムでは、その印刷制御手段の制御によってそれら画像データの片面印刷処理を実行する構成も可能である。
【００１９】
本発明の画像処理プログラムでは、その印刷制御手段の制御によってそれら画像データの両面印刷処理を実行する構成も可能である。
【００２０】
本発明の画像処理プログラムでは、その原稿の原稿面を連続的に画像読込手段に送る原稿送り処理を実行する構成も可能である。
【００２１】
本発明の画像処理プログラムでは、その原稿送り処理として、原稿両面を連続的にその画像読込手段に送り処理を実行する構成も可能である。
【００２２】
さらに、本発明の記憶媒体は、それらいずれかの画像処理プログラムを記憶するものである。
【発明の効果】
【００２３】
このような本発明に係る画像処理装置および画像処理プログラムでは、画像読込手段で原稿を読み込んで画像データを生成し、生成されたその画像データを記憶手段に記憶し、記憶された画像データ中に複写禁止頁を示すパターン情報が存在するか否かをパターン情報検知手段で検知し、そのパターン情報の存在が検知されたとき、画像データ変換手段が複写禁止頁の画像データを白紙画像データに変換し、それら画像データの印刷を制御する印刷制御手段が、片面印刷においてその白紙画像データが得られたとき当該白紙画像データに係る印刷を制御せず、両面印刷において片面側のみ白紙画像データが得られたとき当該白紙画像データの印刷を制御するから、複写禁止頁と禁止されない頁が混在する原稿について、複写禁止頁を白紙化しても複写用紙の無駄を回避可能となる。
【００２４】
本発明において、それら画像データを片面印刷する構成では、１頁でも複写禁止頁を白紙化すると、１頁分の複写用紙の無駄回避が可能となる。
【００２５】
本発明において、それら画像データを両面印刷する構成では、連続する複写禁止頁が白紙化されると、複写用紙の無駄を回避可能となる。
【００２６】
本発明において、その原稿の原稿面を連続的に画像読込手段に原稿送りする構成や、その原稿の両面を連続的に送る構成では、送られた原稿の片面や両面に複写禁止頁があっても、複写用紙の無駄な消費を自動的に防ぐことが可能である。
【００２７】
そして、本発明の記憶媒体では、それらいずれかの画像処理プログラムを記憶するから、それら画像処理プログラムを有体物の形態で扱える。
【発明を実施するための最良の形態】
【００２８】
以下、本発明に係る実施の形態を図面を参照して説明する。
【００２９】
図１は本発明に係る画像処理装置の実施の一形態を示すブロック図である。本発明に係る画像処理プログラムおよびこれを格納した記憶媒体は、画像処理装置を説明する過程で説明する。
【００３０】
図１において、本発明に係る画像処理装置は、バス７を介して接続された画像読込手段９、両面原稿送り手段１１、記憶手段１３、パターン情報検知手段１５、画像データ変換手段１７、画像形成制御手段１９、印刷手段２１、インターフェース手段２３、操作表示手段２５を有して構成されている。
【００３１】
画像読込手段９は、画像形成制御手段１９の制御の下、例えば印刷された複数頁の原稿を光学的に自動的に読み込み、フィルタ処理、変倍処理、γ処理および階調処理等をして電子的画像データを生成する公知の読取り手段やスキャナーであり、生成した画像データが原稿の頁毎に記憶手段１３に順次記憶されるようになっている。記憶手段１３については後述する。
【００３２】
両面原稿送り手段１１は、セットされた複数頁の両面原稿を１枚ずつ片面を自動的に画像読込手段９に対して給紙するとともに、当該原稿を所定の位置まで退避させてから画像読込手段９に対して反転して対向面を連続的に自動給紙する従来公知の機能を有し、画像形成制御手段１９によって制御されている。なお、両面原稿送り手段１１についても後述する。
【００３３】
パターン情報検知手段１５は、画像形成制御手段１９の制御の下、記憶手段１３に記憶された画像データを頁単位で読出し、画像データ中に複写禁止頁を示すパターン情報５が存在するか否かを検知し、そのパターン情報５の存在が検知されたとき、その複写禁止頁に係る画像データを画像データ変換手段１７に出力する機能を有している。
【００３４】
画像データ中における複写禁止頁を示すパターン情報５は、例えば上述した図５および図６で説明したように、小さなドットｄ１の背景領域３ａ中に、大きなドットｄ２からなり「複写禁止」といったメッセージ情報３ｂが埋め込まれてなるパターン情報５から形成されており、画像読込手段９で読み込んで複写したとき、背景領域３ａ中に埋め込んだメッセージ情報３ｂが図５Ｂに示すように黒く浮かび上がるようになっている。
【００３５】
なお、背景領域３ａのドットｄ１と複写禁止を示すメッセージ情報３ｂのドットｄ２を逆にすれば、背景領域３ａが浮かび上がる一方、メッセージ情報３ｂが白抜き状態になる。
【００３６】
パターン情報検知手段１５は、例えば、背景領域３ａから公知のパターンマッチング法によってドットｄ１を検知し、所定の面積内でのドット数をカウンタ処理してドット密度を算出する一方、メッセージ情報３ｂの領域から同様のパターンマッチング法によってドットｄ２を検知し、所定の面積内でのドット数をカウンタ処理してパターン情報５のドット密度を算出し、例えば記憶手段１３に予め設定記憶された同一性判断の許容値となる閾値（基準ドット密度）とそれら算出ドット密度を比較し、閾値（基準ドット密度）内に含まれていると判定した場合、パターン情報５の存在を検出する。
【００３７】
パターン情報検知方法は、背景領域３ａから公知のパターンマッチング法によってドットを検知するとともに所定の面積内でのドット密度を算出し、閾値（基準ドット密度）と比較してパターン情報５の有無を検知する手法の他、ドットを形成するドット寸法の大小、ドット形状や配列方法の差異によって検知可能であるし、単にドットの有無等によって検知する等、種々の手法が適用可能である。
【００３８】
画像データ変換手段１７は、その複写禁止頁に係る画像データについて、当該頁全体を白色にした白紙画像データに変換するとともに、白紙画像データを記憶手段１３に出力して当該複写禁止頁に置き換えて格納する機能、すなわち複写禁止頁に係る画像データの表示内容を実質的に出力させない出力規制手段を有している。
【００３９】
これら白紙画像データを含む画像データは、例えば印刷、ファクシミリ送信又は外部出力用に利用される。
【００４０】
印刷手段２１は、画像形成制御手段１９の制御の下、片面又は両面複写指示に基づき、記憶手段１３からの白紙画像データを含む画像データその他を両面印刷する公知のモノクロ又はカラー印刷エンジンである。画像形成制御手段１９については後述する。
【００４１】
インターフェース手段２３は、後述する画像処理プログラムを格納する例えばハードディスク（ＨＤＤ）、ＵＳＢメモリ、フレキシブルディスクその他公知の外部記憶媒体２７に対し、画像形成制御手段１９の制御の下、その画像処理プログラムの読出を制御する入出力制御部である。
【００４２】
操作表示手段２５は、原稿の片面又は両面読取り指示、上述した閾値（基準ドット密度）等の設定の他、片面又は両面複写指示等の入力、記憶媒体２７との間のプログラムの入出力指示の他、それらの動作状態を表示する機能を有し、後述する装置本体２９に配置された表示手段と入力手段を兼ねた液晶タッチパネルからなり、画像形成制御手段１９によって制御される。
【００４３】
画像形成制御手段１９は、上述したように、バス７を介して接続された画像読込手段９、両面原稿送り手段１１、記憶手段１３、パターン情報検知手段１５、画像データ変換手段１７、印刷手段２１、インターフェース手段２３および操作表示手段２５の機能を制御するＣＰＵ、このＣＰＵの動作プログラムを格納したプログラムＲＯＭ、制御演算中のデータを一時的に格納するＲＡＭ等であり、それらの一部を実質的に構成している場合もある。
【００４４】
画像形成制御手段１９は、片面印刷が指示されたとき、その白紙画像データがパターン情報検知手段１５で得られると、当該白紙画像データを飛ばして印刷手段２１で印刷させず、両面印刷が指示されたとき、片面側のみその白紙画像データが得られると、当該白紙画像データを印刷手段２１で印刷させ、表裏連続する白紙画像データが得られると、それらを飛ばして印刷させないよう印刷手段２１を制御するものであり、印刷制御手段として機能している。
【００４５】
記憶手段１３は、画像形成制御手段１９の動作プログラムを格納する他、上述したように、生成した画像データ、閾値（基準ドット密度）、変換画像データ等を格納する機能を有する読み書き可能なメモリである。
【００４６】
次に、上述した画像読込手段９、両面原稿送り手段１１および印刷手段２１について、図２を参照してそれら位置関係と、印刷手段２１の構成を簡単に説明する。
【００４７】
画像読込手段９、両面原稿送り手段１１および印刷手段２１は、例えば図２に示すように、画像形成装置としての複写機、ファクシミリ機、プリンター又はこれらの複合機を形成する装置本体２９に配置されている。
【００４８】
すなわち、印刷手段２１の上側に画像読込手段９および両面原稿送り手段１１が搭載されるように配置されている。
【００４９】
印刷手段２１は、給紙カセット３１、手差しトレイ３３、搬送路３５、３７、転写部３９、定着部４１、排紙部４３および反転路４５等を有して形成されている。
【００５０】
画像形成制御手段１９は、それら給紙カセット３１、手差しトレイ３３、搬送路３５、３７、転写部３９、定着部４１、排紙部４３および反転路４５等を制御するものであり、印刷用紙がセットされた公知の給紙カセット３１や手差しトレイ３３から搬送路３５を介してその印刷用紙（複写用紙）が１次給紙されるようになっている。図２中の太実線は１次給紙経路である。
【００５１】
搬送路３５には、転写部３９および定着部４１の他、転写部３９の手前に公知のレジストローラ４７が配置されており、レジストローラ４７から印刷用紙が２次給紙される。図２中の太破線は２次給紙経路である。
【００５２】
転写部３９は、転写ドラムおよび転写ローラからなり、画像形成制御手段１９の制御の下、読込んだ生成画像データを現像して印刷用紙にトナーで画像転写する従来公知のものである。
【００５３】
定着部４１は、定着加熱ローラおよび定着加圧ローラからなり、印刷用紙に画像転写されたトナーを加熱加圧して定着するものであり、印刷用紙が搬送路３７を介して排紙部４３から排紙される（図２中の２点鎖線）。
【００５４】
排紙部４３に至る搬送路３７には、定着された印刷用紙を両面印刷処理のためにレジストローラ４７位置まで反転して戻す反転路４５（図２中の細破線から点線）が連結されている。片面印刷して排紙部４３から排紙されるか、反転路４５へ搬送制御されるかは、画像形成制御手段１９の制御による。
【００５５】
印刷制御手段としての画像形成制御手段１９は、パターン情報検知手段１５が画像データ中に複写禁止頁を示すパターン情報５の存在を検知して白紙画像データが得られたとき、例えば転写部３９に白紙画像データを出力せずに、次頁に係る印刷用紙の１次給紙および画像転写に移る機能を有している。
【００５６】
すなわち、画像形成制御手段１９は、片面印刷時において、得られた白紙画像データについては転写部３９に送らずに印刷制御をしない機能を有している。
【００５７】
画像形成制御手段１９は、両面印刷時において、両面印刷用に連続する白紙画像データが得られたとき、得られた連続白紙画像データを転写部３９に送らずに印刷制御しない機能を有し、連続しない片面（表面又は裏面）の白紙画像データについては、これを転写部３９に送るとともに、印刷用紙を反転路４５に搬送して両面の転写および定着制御し、排紙する機能を有している。
【００５８】
次に、本発明に係る画像処理装置の動作を図３のフローチャートおよび図４の動作概念図を参照して説明する。
【００５９】
プログラムが開始されると、ステップＳ１において原稿としての複数頁の用紙１を両面原稿送り手段１１から画像読込手段９へ送って読み込むとともに、画像データを順次生成する画像読込処理を実行し、ステップＳ２にてその画像データを記憶手段１３に記憶する記憶処理を実行する。
【００６０】
続く、ステップＳ３にて画像データ中に複写禁止を示すパターン情報５が存在するか否かパターン情報検知手段１５にてパターン情報検知処理を実行する。
【００６１】
全ての画像データ中にパターン情報５が存在せずにステップＳ３がＮＯの場合には、ステップＳ４にて画像データの片面印刷又は両面印刷処理を実行して終了する。
【００６２】
全ての画像データ中の何れかの頁にパターン情報５が存在してステップＳ３がＹＥＳの場合には、ステップＳ５にて上述した複写禁止頁の画像データを白紙化する変換処理を実行する。
【００６３】
続くステップＳ６において、画像データの印刷が片面印刷か両面印刷か判別され、ステップＳ６の判断結果が片面印刷であれば、ステップＳ７にて片面印刷が実行され、白紙画像データ頁については印刷処理されずに飛ばされて、次頁が印刷処理されて終了する。
【００６４】
他方、ステップＳ６の判断結果が両面印刷であれば、ステップＳ８にて両面印刷が実行され、片面が白色でない画像データ頁についてのみ印刷処理されるとともに、白紙画像データ頁は白紙印刷処理され、白紙画像データ頁が連続する両面印刷については双方が飛ばされ、次頁が印刷処理されて終了する。
【００６５】
例えば片面印刷においては、図４Ａに示すように、用紙１の連続頁が「ＡＢＣ」（１頁目）および「ａｂｃ」（２頁目）と表示されており、「ＡＢＣ」と表示された１頁目が複写禁止頁である場合、「ａｂｃ」と表示された２頁目が印刷出力され、「ＡＢＣ」と表示された１頁目は印刷出力されない。
【００６６】
他方、両面印刷においては、図４Ｂに示すように、用紙１のある原稿面の表面部が「ＡＢＣ」と表示され、裏面が「ａｂｃ」と表示され、「ＡＢＣ」と表示された表面が複写禁止頁である場合、表面側が白紙印刷出力され裏面側はそのまま印刷出力される。
【００６７】
そして、それらの実行処理が本発明に係る画像処理プログラムであり、本発明に係る記憶媒体２７はそれら画像処理プログラムを格納したものである。
【００６８】
このように本発明の画像処理装置では、原稿を読み込んで画像データを生成する画像読込手段９と、生成された画像データを記憶する記憶手段１３と、記憶された画像データ中に複写禁止頁を示すパターン情報５が存在するか否かを検知するパターン情報検知手段１５と、その複写禁止頁に係る画像データを白紙画像データに変換する画像データ変換手段１７と、それら画像データの印刷を制御するとともに、片面印刷時にその白紙画像データが得られたとき当該白紙画像データに係る印刷を制御せず、両面印刷時に片面側のみその白紙画像データが得られたとき当該白紙画像データの印刷を制御する画像形成制御手段（印刷制御手段）１９と、それらの画像データを印刷する印刷手段２１とを具備している。
【００６９】
そのため、複写禁止頁と禁止されない頁が混在する原稿について、複写禁止頁を白紙化して片面又は両面複写出力しても複写用紙の無駄を回避可能となる。
【００７０】
すなわち、パターン情報５が検出された場合に、片面複写の場合には複写禁止頁の印刷出力を行わず、他方、両面複写の場合でも表裏両面共に複写禁止頁の場合にも複写出力を行わないようにし、両面出力の場合であっても片面だけが複写禁止頁の場合には複写禁止頁の面のみ白紙状態で印刷出力を行うことで、無駄な複写用紙の消費を防止可能である。
【００７１】
しかも、当該複写禁止頁が白紙化されたり印刷出力されないから、その複写流出を防ぐことが容易である。
【００７２】
特に、原稿の両面を連続的に画像読込手段に送る両面原稿送り手段１１を有する構成において、上述した効果が顕著である。もっとも、本発明においては両面原稿送り手段１１である必要はなく、原稿の片面を順次送る原稿送り手段であっても良い。
【００７３】
ところで、本発明の画像処理装置において、上述した印刷手段２１は、必ずしも両面印刷機能を有する必要はなく、片面印刷機能のみ有する構成においても実施可能である。
【００７４】
さらに、本発明においては、画像読込手段９、記憶手段１３、パターン情報検知手段１５、画像データ変換手段１７、画像形成制御手段（印刷制御手段）１９、印刷手段２１を具備して構成すれば、本発明の目的達成が可能であり、必ずしも操作表示手段２５やインターフェース手段２３は必須ではないし、記憶手段１３についても生成された画像データを読み書き可能に格納可能なものであれば本発明の目的達成が可能である。
【００７５】
そして、画像読込手段９、記憶手段１３、パターン情報検知手段１５、画像データ変換手段１７、画像形成制御手段（印刷制御手段）１９、印刷手段２１は、必ずしもバス７を介して接続される構成に限らず、画像読込手段９としてのスキャナー、記憶手段１３、パターン情報検知手段１５および画像データ変換手段１７としてのパソコン、印刷手段２１としてのプリンタを例えばネットワークを介して接続した構成においても実施可能である。
【００７６】
また、本発明に係る上述した画像処理プログラムにおいて、それら画像データの片面印刷処理又は両面印刷処理を実行する構成でも、画像処理装置と同様な効果を得ることができる。
【００７７】
さらに、本発明の画像形成プログラムにおいて、その原稿の片面又は両面を連続的に画像読込手段に送る（両面）原稿送り処理を実行する構成でも、画像処理装置と同様な効果を得ることができる。
【図面の簡単な説明】
【００７８】
【図１】本発明に係る画像処理装置の実施の一形態を示すブロック図である。
【図２】図１における画像読込手段、両面原稿送り手段および印刷手段の位置関係を説明する図である。
【図３】図１の画像処理装置の動作を説明するフローチャートである。
【図４】図１の画像処理装置の動作を説明する動作概念図である。
【図５】複写禁止を示すパターン情報を埋め込んだ用紙を説明する図である。
【図６】複写禁止頁を表現するドットを説明する図である。
【符号の説明】
【００７９】
１  用紙
１ａ、１ｂ  複写物
３ａ  背景領域
３ｂ  メッセージ情報
５  パターン情報
７  バス
９  画像読込手段
１１  原稿送り手段（両面原稿送り手段）
１３  記憶手段
１５  パターン情報検知手段
１７  画像データ変換手段
１９  画像形成制御手段（印刷制御手段）
２１  印刷手段
２３  インターフェース手段
２５  操作表示手段
２７  記憶媒体
２９  装置本体
３１  給紙カセット
３３  手差しトレイ
３５、３７  搬送路
３９  転写部
４１  定着部
４３  排紙部
４５  反転路
４７  レジストローラ
ｄ１、ｄ２  ドット
【図１】
2008061019.tif 000003
【図２】
2008061019.tif 000004
【図３】
2008061019.tif 000005
【図４】
2008061019.tif 000006
【図５】
2008061019.tif 000007
【図６】
2008061019.tif 000008